(57)【要約】【課題】折畳式ペット小屋を提供する。【解決手段】プレート状の板部材を折り畳んでなり、該板部材は、側壁部と、床部と、天井部とを備え、該側壁部にドア孔が形成されると共に、該ドア孔の付近に、該ドア孔において開閉可能なドアが設けられ、該床部の部分周縁が側壁部の周縁と連接されると共に、連接位置に折り線が設けられ、該天井部の部分周縁が側壁部の周縁と連接されると共に、連接位置も折り線が設けられ、折畳んだ後、側壁部が床部の周縁を包囲し、天井部が側壁部の上部に覆うことにより、側壁部、床部及び天井部の間にペットの収容空間が形成されることを特徴とする。【選択図】図１
0003121489.tif 000002
【実用新案登録請求の範囲】
【請求項１】
プレート状の板部材を折り畳んでなり、該板部材は、側壁部と、床部と、天井部とを備え、該側壁部にドア孔が形成されると共に、該ドア孔の付近に、該ドア孔において開閉可能なドアが設けられ、該床部の部分周縁が側壁部の周縁と連接されると共に、連接位置に折り線が設けられ、
該天井部の部分周縁が側壁部の周縁と連接されると共に、連接位置も折り線が設けられ、折畳んだ後、側壁部が床部の周縁を包囲し、天井部が側壁部の上部に覆うことにより、側壁部、床部及び天井部の間にペットの収容空間が形成されることを特徴とする折畳式ペット小屋。
【請求項２】
前記板部材の側壁部は、直列の四つの側壁を有し、各側壁の間に折り線が設けられ、その一つの側壁にドア孔が形成され、
前記床部は、一つの床を有し、該床の一側縁によって前記側壁と連接されると共に、連接位置に折り線が設けられ、
前記天井部は、二つの天井側部と、二つの天井と、を有し、これらの天井側部と天井が交差に側壁の上部に組み立て、各天井側部と天井は、夫々一側縁によって側壁と連接されると共に、連接位置に折り線が設けられることを特徴とする請求項１に記載の折畳式ペット小屋。
【請求項３】
前記板部材の側壁部は、直列の四つの側壁を有し、各側壁の間に折り線が設けられ、その一つの側壁にドア孔が形成され、
前記床部は、二つの床と二つの床パットを有し、これら床と床パッドは交差に側壁と連接されると共に、連接位置に折り線が設けられ、
前記天井部は、二つの天井側部と、二つの天井と、を有し、これらの天井側部と天井が交差に側壁の上部に組み立て、各天井側部と天井は、夫々一側縁によって側壁と連接されると共に、連接位置に折り線が設けられることを特徴とする請求項１に記載の折畳式ペット小屋。
【考案の詳細な説明】
【技術分野】
【０００１】
本考案は、特に折畳式ペット小屋に関するものである。
【背景技術】
【０００２】
従来の様々な携帯式ペット小屋は、ペットを屋外へ連れ出す、又はペットとの旅行をし易くするために開発された。該従来の携帯式ペット小屋としては、例えば、特許文献１「ペット小屋構造の改良」（以下、Ａ案と称す）や特許文献２「猫ペット用小屋の折畳構造」（以下、Ｂ案と称す）を有し、該Ａ案やＢ案に記載されたペット小屋は、共に分解や組立てが可能な構造であるので、使用しないには、分解することにより、収納や持ち運びの利便性が高いという特徴があった。
【特許文献１】台湾実用新案公告第００５２１５６６号
【特許文献２】台湾実用新案公告第００５５７６４６号
【考案の開示】
【考案が解決しようとする課題】
【０００３】
しかしながら、前記Ａ案の構造は、ボルトとナットの結合方式によって組立てられることから、速やかに組立てることができないので、非常に不便である。一方、Ｂ案の構造は、面ファスナーによって簡単に組立てることができるが、ペットが重過ぎると、面ファスナーが外れて分解してしまうという問題があった。更に、Ａ案とＢ案の構造は、細かい部材を有するので、分解した後、その細かい部材が紛失し易いという問題があった。
【０００４】
そこで、案出されたのが本考案であって、折畳式ペット小屋を提供することを目的としている。
【課題を解決するための手段】
【０００５】
本願の請求項１の考案は、プレート状の板部材を折り畳んでなり、該板部材は、側壁部と、床部と、天井部とを備え、該側壁部にドア孔が形成されると共に、該ドア孔の付近に、該ドア孔において開閉可能なドアが設けられ、該床部の部分周縁が側壁部の周縁と連接されると共に、連接位置に折り線が設けられ、該天井部の部分周縁が側壁部の周縁と連接されると共に、連接位置も折り線が設けられ、折畳んだ後、側壁部が床部の周縁を包囲し、天井部が側壁部の上部に覆うことにより、側壁部、床部及び天井部の間にペットの収容空間が形成されることを特徴とする折畳式ペット小屋、を提供する。
【０００６】
本願の請求項２の考案は、前記板部材の側壁部は、直列の四つの側壁を有し、各側壁の間に折り線が設けられ、その一つの側壁にドア孔が形成され、
前記床部は、一つの床を有し、該床の一側縁によって前記側壁と連接されると共に、連接位置に折り線が設けられ、
前記天井部は、二つの天井側部と、二つの天井と、を有し、これらの天井側部と天井が交差に側壁の上部に組み立て、各天井側部と天井は、夫々一側縁によって側壁と連接されると共に、連接位置に折り線が設けられることを特徴とする請求項１に記載の折畳式ペット小屋、を提供する。
【０００７】
本願の請求項３の考案は、前記板部材の側壁部は、直列の四つの側壁を有し、各側壁の間に折り線が設けられ、その一つの側壁にドア孔が形成され、
前記床部は、二つの床と二つの床パットを有し、これら床と床パッドは交差に側壁と連接されると共に、連接位置に折り線が設けられ、
前記天井部は、二つの天井側部と、二つの天井と、を有し、これらの天井側部と天井が交差に側壁の上部に組み立て、各天井側部と天井は、夫々一側縁によって側壁と連接されると共に、連接位置に折り線が設けられることを特徴とする請求項１に記載の折畳式ペット小屋、を提供する。
【考案の効果】
【０００８】
本考案は上記の課題を解決するものであり、一枚の板部材に壁部と床部と天井部が設けられ、該側壁部にドア孔が形成され、該床部の部分周縁が側壁部の周縁と連接されると共に、連接位置に折り線が設けられ、該天井部の部分周縁が側壁部の周縁と連接されると共に、連接位置も折り線が設けられ、折畳んだ後、側壁部が床部の周縁を包囲し、天井部が側壁部の上部に覆うことにより、側壁部、床部及び天井部の間にペットの収容空間が形成され、使用しない時、各折り線に沿って折り畳んで収納することにより、細かい部材の紛失問題を防止できると共に、持ち運びや収納にも非常に便利である。
【考案を実施するための最良の形態】
【０００９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１０】
図１は本考案に係る折畳式ペット小屋の第１実施例を示す展開平面図であり、図２は図１の組立てた状態を示す斜視図であり、図３は本考案に係る折畳式ペット小屋の第２実施例を示す展開平面図であり、図４は本考案に係る折畳式ペット小屋の第３実施例を示す展開平面図であり、図５は図４の組立てた状態を示す斜視図であり、図６は本考案に係る折畳式ペット小屋の第４実施例を示す展開平面図であり、図７は本考案に係る折畳式ペット小屋における板部材の実施例を示す部分拡大断面図であり、図８は本考案に係る折畳式ペット小屋における板部材の他の実施例を示す部分拡大断面図である。
【００１１】
図１、図３、図４及び図６に示すように、本考案に係る折畳式ペット小屋は、プレート状の板部材（１）を折り畳んでなり、該板部材（１）は、側壁部（１０）と、床部（２０）と、天井部（３０）とを備え、該側壁部（１０）にドア孔（１１）が形成されると共に、該ドア孔（１１）の付近に、該ドア孔（１１）において開閉可能なドア（１２）が設けられ、該床部（２０）の部分周縁が側壁部（１０）の周縁と連接されると共に、連接位置に折り線が設けられ、該天井部（３０）の部分周縁が側壁部（１０）の周縁と連接されると共に、連接位置も折り線が設けられ、又、図２及び図５に示すように、本考案を折畳んだ後、側壁部（１０）が床部（２０）の周縁を包囲し、天井部（３０）が側壁部（１０）の上部に覆うことにより、側壁部（１０）、床部（２０）及び天井部（３０）の間にペットの収容空間が形成される。
【００１２】
ペットがドア孔（１１）を通してペット小屋の内部に収容され、ドア（１２）がドア孔（１１）を閉めることにより、ペット小屋からペットの脱出を防止でき、又、側壁部（１０）、床部（２０）及び天井部（３０）は、一枚の板部材（１）からなるので、使用しない時、各折り線に沿って折り畳んで収納することにより、細かい部材の紛失問題を防止できると共に、携帯や収納にも非常に便利である。
【００１３】
図１に示すように、本考案に係る折畳式ペット小屋の第１実施例は、側壁部（１０）と、部分周縁によって側壁部（１０）と連接される天井部（３０）と、床部（２０）とを有し、本実施例では、該板部材（１）の側壁部（１０）は、直列の四つの側壁（１３）を有し、各側壁（１３）の間に折り線が設けられ、その一つの側壁（１３）にドア孔（１１）が形成され、該ドア孔（１１）の付近に、該ドア孔（１１）を開閉可能なドア（１２）が設けられる。本実施例の床部（２０）は、一つの床（２１）を有し、該床（２１）の一側縁によって前記側壁（１３）と連接されると共に、連接位置に折り線が設けられる。本実施例の天井部（３０）は、二つの天井側部（３１）と、二つの天井（３２）と、を有し、これらの天井側部（３１）と天井（３２）が交差に側壁（１３）の上部に組み立て、各天井側部（３１）と天井（３２）は、夫々一側縁によって側壁（１３）と連接されると共に、連接位置に折り線が設けられる。
【００１４】
又、図２に示すように、板部材（１）を折り線に沿って折り畳んだ後、各側壁（１３）が床（２１）の周縁を包囲し、二つの天井（３２）が夫々間接の側壁（１３）の上部に位置され、二つの天井側部（３１）が他の側壁（１３）の上部に位置される。
【００１５】
図３に示すように、本考案に係る折畳式ペット小屋の第２実施例は、前記第１実施例と殆ど等しく、異なるのは、床部（２０）は、二つの床（２１）と二つの床パット（２２）を有し、これら床（２１）と床パッド（２２）は交差に側壁（１３）と連接されると共に、連接位置に折り線が設けられる。本実施例を折り畳む際、床パッド（２２）を先に折り畳んだ後、床（２１）を折り畳むことにより、床部（２０）となる。本実施例の床部（２０）は床（２１）と床パッド（２２）からなり、より厚い厚さを有するので、ペットの動くによって破損する問題を防止できる。
【００１６】
前記実施例における天井側部（３１）は、三角形であり、天井（３２）は、矩形であるので、天井側部（３１）と天井（３２）を結合する際、屋根状の形に呈し、又、天井側部（３１）と天井（３２）の周縁に結合部材を設けることができる。図４に示すように、本考案の第３実施例は、前記第２実施例と殆ど等しく、異なるのは、天井部（３０）における天井側部（３１）の中央に係止溝（３１１）が形成され、天井（３２）は、天井上部（３２１）と天井下部（３２２）を有すると共に、その間に折り線が設けられ、該天井上部（３２１）の上部両側に夫々係止部（３２３）が設けられ、又、図５に示すように、本実施例を折り畳む際、天井（３２）を互いに結合し、結合した天井上部（３２１）の係止部（３２３）が天井側部（３１）の係止溝（３１１）に挿入することにより、天井部（３０）を組立てる。
【００１７】
又、本考案に記載された天井部（３０）、側壁部（１０）及び床部（２０）に、例えば面ファスナーやボタンなどの結合部材が設けられることにより、組立てた安定性を向上することができる。本考案の第１及び第２実施例について、面ファスナー（４１）によって各部材を固定する。一方、図６に示す本考案の第４実施例では、前記面ファスナー（４１）の代わりにボタン（４２）を用いることにより、各部材を固定する。
【００１８】
又、前記ドア（１２）は、側壁部（１０）におけるドア孔（１１）の周縁に設けられ、図１及び図２に示すように、本考案の第１実施例について、該ドア（１２）の上部がドア孔（１１）の上側における側壁（１３）に枢設されることにより、ドア（１２）が側壁（１３）に回転することができる。又、前記ドア孔（１１）の周縁における側壁（１３）に、ドア（１２）をドア孔（１１）に固定するために少なくとも一つの閉止部材（１５）が設けられる。又、図６に示すように、本実施例のドア（１２）は、側壁（１３）と一体形成されると共に、その一側がドア孔（１１）の周縁と連接され、又、本実施例のドア孔（１１）の周縁における側壁（１３）にも、ドア（１２）をドア孔（１１）に固定するために少なくとも一つの閉止部材（１５）が設けられる。又、図４及び図５に示すように、本考案の第３実施例では、ヒンジ（４４）によってドア（１２）がドア孔（１１）の一側に枢設され、該ドア孔（１１）の周縁における側壁（１３）にも、ドア（１２）をドア孔（１１）に固定するために少なくとも一つの閉止部材（１５）が設けられる。前記閉止部材（１５）は、例えば図１に示すようなロッド状の回転部材（１５１）であり、又は図３に示すような面ファスナー（１５２）であり、又は図６に示すような結合ボタン（１５３）である。第４実施例について、ドア（１２）に結合ボタンを有する延伸部（３２４）が設けられる。
【００１９】
本考案における側壁部（１０）に更に様々な形状を有する窓孔（１４）が形成されてもよく、こうすることにより、ペット小屋の通気性を向上することができる。図３に示すように、該窓孔（１４）は、犬の形状としたり、又は図１に示すように、猫の頭の形状とすることにより、ペット小屋の見た目を向上する。
【００２０】
又、本考案における板部材（１）は、多層の構造になってもよく、例えば図７に示すように、該板部材（１）は、竹炭層（４３）と板層の二層構造からなり、該竹炭層（４３）が消臭と除湿効果を有するので、ペットを収容した匂いをなくすことができる。又、該竹炭層（４３）にナノ銀を添加することにより、殺菌効果も達成できる。図８に示すように、板部材（１）は、中間に前記竹炭層（４３）が設けられる三層構造からなってもよい。前記板部材（１）の板層は、紙板や布や他の素材からなっても良い。
【００２１】
前記天井部（３０）に更に取手部が設けられてもよく、例えば天井（３２）の上部に取手孔（３２５）を有する延伸部（３２４）が設けられることにより、携帯の利便性を高める。
【００２２】
又、携帯の利便性を高めるために、前記側壁部（１０）に、使用者の肩部に吊りかけることができる肩帯（符号なし）が設けられることにより、本考案のペット小屋を使用者の背中に背負することができる。
【産業上の利用可能性】
【００２３】
本考案は上記の構成を有するので、一枚の板部材に壁部と床部と天井部が設けられ、該側壁部にドア孔が形成され、該床部の部分周縁が側壁部の周縁と連接されると共に、連接位置に折り線が設けられ、該天井部の部分周縁が側壁部の周縁と連接されると共に、連接位置も折り線が設けられ、折畳んだ後、側壁部が床部の周縁を包囲し、天井部が側壁部の上部に覆うことにより、側壁部、床部及び天井部の間にペットの収容空間が形成され、使用しない時、各折り線に沿って折り畳んで収納することにより、細かい部材の紛失問題を防止できると共に、持ち運びや収納にも非常に便利である。
【図面の簡単な説明】
【００２４】
【図１】本考案に係る折畳式ペット小屋の第１実施例を示す展開平面図である。
【図２】図１の組立てた状態を示す斜視図である。
【図３】本考案に係る折畳式ペット小屋の第２実施例を示す展開平面図である。
【図４】本考案に係る折畳式ペット小屋の第３実施例を示す展開平面図である。
【図５】図４の組立てた状態を示す斜視図である。
【図６】本考案に係る折畳式ペット小屋の第４実施例を示す展開平面図である。
【図７】本考案に係る折畳式ペット小屋における板部材の実施例を示す部分拡大断面図である。
【図８】本考案に係る折畳式ペット小屋における板部材の他の実施例を示す部分拡大断面図である。
【符号の説明】
【００２５】
１          板部材
１０        側壁部
１１        ドア孔
１２        ドア
１３        側壁
１４        窓孔
１５        閉止部材
１５１      回転部材
１５２      面ファスナー
１５３      結合ボタン
２０        床部
２１        床
２２        床パッド
３０        天井部
３１        天井側部
３１１      係止溝
３２        天井
３２１      天井上部
３２２      天井下部
３２３      係止部
３２４      延伸部
３２５      取手部
４１        面ファスナー
４２        結合ボタン
４３        竹炭層
４４        ヒンジ
【図１】
0003121489.tif 000003
【図２】
0003121489.tif 000004
【図３】
0003121489.tif 000005
【図４】
0003121489.tif 000006
【図５】
0003121489.tif 000007
【図６】
0003121489.tif 000008
【図７】
0003121489.tif 000009
【図８】
0003121489.tif 000010